(57)【要約】      （修正有）【課題】販売地の特色を表しつつ、キャラクターのフィギュアの企画製作に要する費用と労力、在庫管理の負担を軽減することができる、キャラクター付きご当地吊下げ式装飾品を提供する。【解決手段】吊下げ式装飾品Ｏとしての携帯電話用ストラップＳは、吊下げ部材Ｈとしてのストラップ部材３と、ストラップ部材３と連結されキャラクターを立体的に造形してなるフィギュア５と、フィギュア５と連結され開閉自在な蓋を備えて、内部に収容した物を外部から視認可能とした透明ケース本体７ａ等からなる透明ケースと、その中に収容される販売地の特色を表すご当地物品１０と、を備える。キャラクターのフィギュア５を統一し、透明ケースに収容するご当地物品１０のみを販売地の数に応じた種類を用意して製作することで、フィギュアの企画・製作に要する費用と労力、在庫管理の負担が格段に軽減される。【選択図】図２
0003157425.tif 000002
【実用新案登録請求の範囲】
【請求項１】
観光地で販売される土産物自体としての、または土産物を装飾するために土産物から吊り下げられる、吊下げ式装飾品であって、
キャラクターを立体的に造形してなるフィギュアと、
前記フィギュアと連結され、開閉自在な蓋を備えて、内部に収容した物を外部から視認可能とした透明ケースと、
前記透明ケースに収容される、販売地の特色を表すご当地物品と、
前記フィギュアまたは前記透明ケースに連結される吊下げ部材と、
を備えたことを特徴とする吊下げ式装飾品。
【請求項２】
前記ご当地物品が、販売地の特色を表すように立体的に形成される、合成樹脂製の物品であることを特徴とする、請求項１に記載の吊下げ式装飾品。
【請求項３】
前記ご当地物品が、販売地の建造物や特産物を象ったもの、販売地を象徴する動植物や生き物を象ったもの、販売地で盛んなスポーツで使用される道具を象ったもの、販売地で行なわれる行事を連想させるもの、販売地の地形を象徴的に表すもの、または販売地を舞台にした物語の登場人物を立体形状に表したもの、のいずれかであることを特徴とする、請求項１または請求項２に記載の吊下げ式装飾品。
【請求項４】
前記吊下げ部材が、携帯電話に取着可能なストラップ部材であることを特徴とする、請求項１乃至請求項３のいずれかに記載の吊下げ式装飾品。
【請求項５】
前記吊下げ部材が、キーホルダー金具であることを特徴とする、請求項１乃至請求項３のいずれかに記載の吊下げ式装飾品。
【請求項６】
前記吊下げ部材が前記フィギュアと連結され、前記フィギュアが、前記透明ケースの蓋に取着されることを特徴とする、請求項１乃至請求項５のいずれかに記載の吊下げ式装飾品。
【考案の詳細な説明】
【技術分野】
【０００１】
本考案は、特定のキャラクターを立体的に造形した「フィギュア」を装飾として付けた、主に土産物として販売される吊下げ式装飾品に関する。
【背景技術】
【０００２】
特定の有名、著名キャラクターの顧客吸引力を利用し、その名前や図案、またはフィギュアを、文房具、雑貨、衣料品等に付して商品化し、販売するビジネスが従来から行なわれていた。
【０００３】
こうしたキャラクタービジネスは、近年土産物業界にも進出している。観光地の土産物としてのキャラクター商品は、販売地に縁のある扮装をした態様のキャラクターの図案またはフィギュアを、複数の販売地用に複数用意し、商品に印刷したり、取り付けたりしたものを各地で販売することが一般的である。「ご当地」キャラクター商品と呼ばれるそれらの商品は、キャラクターが持つ高い顧客吸引力からよく売れ、土産物メーカーが注力するところとなっている。
【０００４】
そのようなご当地キャラクター商品の中でも、土地に縁のある扮装をした態様のキャラクターのフィギュアを付けた、携帯電話用のご当地ストラップや、ご当地キーホルダー（以下、ご当地吊下げ式装飾品と総称することがある）は、土産物の定番となっており、特に若者の間で人気がある。
【考案の概要】
【考案が解決しようとする課題】
【０００５】
しかしながら、その種のご当地吊下げ式装飾品の販売を日本全土で展開するためには、例えば、東京ではキャラクターが東京タワーを背負った形状のフィギュア、愛知県ではキャラクターが金の鯱に跨った形状のフィギュアと、全部で約５０種類ものフィギュアを企画製作する必要があるため、そのデザイン、金型の製作や管理にかなりの費用と労力を要する。また、在庫も、５０種類のフィギュアのそれぞれについて生ずるため、保管場所の確保や、在庫管理の負担が大きいことが、土産物メーカーの課題であった。
【０００６】
そこで、本考案は、販売地の特色を表しつつ、キャラクターのフィギュアの企画製作に要する費用と労力、在庫管理の負担を軽減することができる、キャラクター付きご当地吊下げ式装飾品を提供することを目的とする。
【課題を解決するための手段】
【０００７】
本考案に係る吊り下げ式装飾品は、観光地で販売される土産物自体としての、または土産物を装飾するために土産物から吊り下げられる、吊下げ式装飾品であって、キャラクターを立体的に造形してなるフィギュアと、フィギュアと連結され、開閉自在な蓋を備えて、内部に収容した物を外部から視認可能とした透明ケースと、前記透明ケースに収容される、観光地、すなわち販売地の特色を表すご当地物品と、フィギュアまたは透明ケースに連結される吊下げ部材と、を備えたことを特徴とする。
【０００８】
販売地の特色を表すご当地物品とは、例えば、東京での販売用に東京タワーを象ったもの、青森県での販売用にりんごを象ったもの、熊本県は天草での販売用にイルカを象ったもの、長野県での販売用にスキー板を象ったもの、静岡県や山梨県での販売用に富士山を象ったもの、岡山県での販売用に桃太郎を象ったもの、といったように、販売地の建造物や特産物を象ったもの、販売地を象徴する動植物や生き物を象ったもの、販売地で盛んなスポーツで使用される道具を象ったもの、販売地で行なわれる行事を連想させるもの、販売地の地形を象徴的に表すもの、販売地を舞台にした物語の登場人物を立体形状に表したもの等が考えられるが、この他にも、販売地を連想させるようなものなら如何なるものでも本考案におけるご当地物品となり得る。これらのご当地物品は、透明ケースに収容可能なサイズであって、腐敗等の心配の無いものであれば、沖縄の星の砂、北海道のまりも等の実物であってもよいが、現実的には合成樹脂で立体的に成形される物品である場合が多かろう。
【０００９】
このような吊下げ式装飾品によれば、キャラクターのフィギュアを、複数の販売地用に統一して使用する１種類にできるため、販売地の数分の種類のフィギュアを、販売地の特色と関連付けて企画、製作する費用と労力を省き、また、フィギュアの在庫管理の負担も軽減することができる。その一方で、販売地の特色を表すご当地物品を、透明ケースに収容して付しているため、費用や労力を省きつつ、ご当地キャラクター商品として成立させることができる。
【００１０】
上述の吊り下げ式装飾品は、吊り下げ部材を、携帯電話に取着可能なストラップ部材としたり、ストラップ部材の代わりにキーホルダー金具とすることにより、ご当地携帯電話用ストラップや、ご当地キーホルダーとしてそれ自体販売に供する構成とすることができる一方、吊り下げ部材を適宜変更することにより、予め、ボールペン等のペン類あるいは他の種々の土産物に予め吊り下げて装飾するものとして構成することも可能である。
【図面の簡単な説明】
【００１１】
【図１】本考案の実施例である携帯電話用ストラップの正面図である。
【図２】図１の携帯電話用ストラップにおける透明ケースの構造を示す図である。
【図３】本考案の他の実施例を示す図である。
【考案を実施するための形態】
【００１２】
以下に本考案の望ましい実施形態を図面に基づいて説明する。
【００１３】
図１は、本考案に係る吊下げ式装飾品Ｏの一実施例としての携帯電話用ストラップＳ（以下、単にストラップＳという場合がある）を示す。携帯電話用ストラップＳは、吊下げ部材Ｈとしてのストラップ部材３と、ストラップ部材３と連結されたキャラクターのフィギュア５と、フィギュア５と連結された透明ケース７と、透明ケース７の内部に収容されたご当地物品１０と、を備える。
【００１４】
ストラップ部材３は、任意の材料からなる輪状の紐材と金具を組み合わせたもので、携帯電話に取り付け可能に構成されたものである。
【００１５】
キャラクターのフィギュア（以下、単にフィギュアという場合がある）５は、キャラクターを立体的に造形した、いわば人形である。本実施例では、フィギュア５はＡＢＳ樹脂等の合成樹脂により成形されるもので、日本全土での販売用に、ただ一種類の形態のフィギュア５が用意される。図２に示すように、フィギュア５は、底部（本実施形態では、フィギュア５の足の下）に、円形に形成された台座５ａを備える。フィギュア５は、ストラップ部材３と連結されている。
【００１６】
透明ケース７は、ポリプロピレン等の合成樹脂製で、内部に収容した物を外部から視認可能とした透明の容器である。図２に示すように、透明ケース７は、本体部７ａと、蓋７ｂを備え、蓋７ｂを開閉自在に構成されている。本実施形態では、蓋７ｂに、フィギュア５の台座５ａを嵌合可能な円形の凹部７ｃが形成され、この凹部７ｃにフィギュア５の台座５ａが嵌めこまれ、接着されている。
【００１７】
透明ケース７に収容されるご当地物品１０は、ストラップＳを販売する観光地の、すなわち販売地の特色を表す装飾用の物品である。上述のフィギュア５が、日本全土での販売用に、ただ１種類の形態のものを使用するのに対し、ご当地物品１０は、販売地の数だけ種類を用意されるものである。販売地の特色を表す物品とは、例えば、販売地の建造物や特産物を象ったもの、販売地を象徴する動植物や生き物を象ったもの、販売地で盛んなスポーツで使用される道具を象ったもの、販売地で行なわれる行事を連想させるもの、販売地の地形を象徴的に表すもの、販売地を舞台にした昔話や小説等の物語の登場人物を立体形状に表したもの、といった類のものである。さらに具体的に例示すれば、東京での販売用に東京タワーを象ったもの、青森県での販売用にりんごを象ったもの、熊本県は天草での販売用にイルカを象ったもの、長野県での販売用にスキー板を象ったもの、静岡県や山梨県での販売用に富士山を象ったもの、岡山県での販売用に桃太郎を象ったもの、等となろう。しかしながら、販売地を連想させるようなものであれば、上に例示したものに限らず、如何なるものも、本考案におけるご当地物品１０になり得る。
【００１８】
これらのご当地物品１０は、透明ケース７に収容可能なサイズであって、腐敗等の心配の無いものであれば、沖縄の星の砂、北海道のまりも等の実物としてもよいが、現実的には合成樹脂で立体的に成形される物品である場合が多かろう。
【００１９】
このように、ストラップＳを販売する観光地の数だけ用意されたご当地物品１０が、図２に示すように、透明ケース７の内部に収容されると、共通のフィギュア５と、販売地に応じた各々のご当地物品１０が収容された透明ケース７を備えた携帯電話用ストラップＳが、販売地の数分の種類完成する。そして、各販売地の特色を示すご当地ストラップとして全国各地に向けて出荷され、販売される。
【００２０】
図３は、本考案に係る吊下げ式装飾品Ｏの他の実施例を示したものである。図３のＡでは、吊下げ式装飾品Ｏは、上述の携帯電話用ストラップＳにおける、吊下げ部材Ｈとしてのストラップ部材３を、キーホルダー用金具１３に置き換えられ、キーホルダーＫとして構成される。また、図３のＢでは、吊下げ式装飾品Ｏが、上述のストラップ部材３またはキーホルダー金具１３の代わりに、取付金具２３を備え、ボールペンやシャープペンシル等のペン類に吊下げられる装飾品Ｎとして構成されている。このように、本考案に係る吊下げ式装飾品は、吊下げ部材Ｈを変更することにより、それ自体が土産物として販売される形態をとる場合と、他の土産物から吊下げられて該土産物を装飾する形態をとる場合とがあり、広汎な利用可能性を有する。勿論、それ自体が販売される形態の場合には、携帯電話用ストラップやキーホルダーに限らず、財布やズボンのベルト等に取付けられる根付けやチャームとして構成される場合等があり、一方、他の土産物を装飾する形態の場合には、ペン類に限らず、種々の土産物に装飾品として吊下げ可能である。
【００２１】
なお、上述の各実施例においては、吊り下げ部材Ｈ（ストラップ部材３、キーホルダー金具１３、取付金具２３）がフィギュア５の上端側に取り付けられ、フィギュア５が、透明ケース７の蓋７ｂに取着される構成であるが、フィギュア５と透明ケース７との配列はこれに限らず、吊り下げ部材Ｈが透明ケース７の蓋７ｂに取り付けられ、透明ケース７の下部にフィギュア５が取り付けられる構成としてもよい。
【００２２】
上述した実施例の吊下げ式装飾品Ｏ（携帯電話用ストラップＳ、キーホルダーＫ、装飾品Ｎ）によれば、キャラクターのフィギュア５を、複数の販売地用に統一して使用する１種類にできるため、販売地の数分の種類のフィギュア５を、販売地の特色と関連付けて企画、製作する費用と労力を省き、また、フィギュアの在庫管理の負担も軽減することができる。その一方で、販売地の特色を表すご当地物品１０を、透明ケース７に収容して付しているため、費用や労力を省きつつ、ご当地キャラクター商品として成立させることができる。なお、上述の実施形態によれば、透明ケース７に収容するご当地物品１０を、販売地の数分の種類製作する必要が生じ、その製作の労力や在庫管理等の手間がかかることになるが、ご当地物品１０は、特産品や建造物といった、販売地の特色をそのまま象ったものでよいため、キャラクターとそれら特色とを絡めたデザインのフィギュアを数十種類企画製作する場合と比較すれば、その負担は格段に小さい。
【００２３】
また、本考案に係る吊下げ式装飾品Ｏでは、ご当地物品１０は、内部に収容した物を外部から視認可能な透明ケース７に収容されるため、ケース７の外側に、中に何が入っているか表示する必要が無い。
【符号の説明】
【００２４】
３  ・・・  ストラップ部材
５  ・・・  フィギュア
７  ・・・  透明ケース
７ｂ  ・・・  蓋
１０  ・・・  ご当地物品
１３  ・・・  キーホルダー金具
Ｈ  ・・・  吊下げ部材
Ｏ  ・・・  吊下げ式装飾品
Ｓ  ・・・  携帯電話用ストラップ
【図１】
0003157425.tif 000003
【図２】
0003157425.tif 000004
【図３】
0003157425.tif 000005